(57)【特許請求の範囲】
【請求項１】
壁面にステップを取り付けるために穴を穿設するためのステップ取付穴冶具において、
上下の水平部とこれら水平部の中央部を縦方向に接続する垂直部とでスケ―ル本体を形成し、該スケ―ル本体の前記各水平部のそれぞれの両端近傍にドリル通過用長穴を穿設し、前記垂直部に前記水平部から上下に突出する突出部の各突出端に連結用凹部又は凸部を形成し、垂直部で各水平部との交差部近傍にそれぞれ水平器を配置し、該垂直部で両水平部間に取手を固定し、各水平部の中央部にねじ穴を形成し、
スケ―ル本体と、水平部のそれぞれの前記長穴にスライド自在に係着されるドリルガイド駒と、壁面とスケ―ル本体と間に配置され前記ねじ穴に螺合する調整ねじと、
からなるステップ取付穴冶具。
【発明の詳細な説明】
【技術分野】
【０００１】
本発明は、マンホ―ル等の壁面にステップを取り付けるために穴を穿設するためのステップ取付穴冶具に関するものである。
【背景技術】
【０００２】
従来，マンホ―ル等においては、その壁面の上下方向に所定の寸法（例えば３００ｍｍ）の間隔で上方からステップ取付部位をマ―キングし、各マ―キング部位の水平方向に前記マ―キング部位を中心としてステップの脚巾の所望の寸法（例えば３００ｍｍ或は４００ｍｍ）の巾位置に脚端部を挿入する穴の位置決めをし、該位置決めされた部位にドリル等を用いて穴を穿設するようにしていたが、穴の位置を決めるまでのマ―キング作業が繁雑で、しかもドリルによる穴の穿設方向等が正確にできないものである。
【０００３】
そして、壁面に穴を穿設する冶具として、その正確な穴あけ位置とホ―ルソ―の確実な保持を意図して複数の基準穴と該穴にホ―ルソ―のセンタ―棒を挿入するようにした定規を用いるものが提案されている（例えば特許文献１参照）。
【０００４】
【特許文献１】特許第２８５８２４２号公報。
【発明の開示】
【発明が解決しようとする課題】
【０００５】
ところで、前記のような定規を多段のステップの穴あけに用いるとしても、穿設すべき穴の部位を位置決めするには更に各ステップ毎に前記マ―キング工程が必要であると共にステップの脚径に合わせた正確な穴を所定方向に穿設することが困難である、という問題がある。
【０００６】
本発明は、従来の技術の有するこのような問題点に鑑みてなされたものであり、その目的とするところは、多段のステップ取付穴の位置決めが簡単容易にでき、しかも所定の位置でのドリルのガイドが確実にできるステップ取付穴冶具を提供しようとするものである。
【課題を解決するための手段】
【０００７】
上記目的を達成するために、本発明におけるステップ取付穴冶具は、
上下の水平部とこれら水平部の中央部を縦方向に接続する垂直部とでスケ―ル本体を形成し、該スケ―ル本体の前記各水平部のそれぞれの両端近傍にドリル通過用長穴を穿設し、前記垂直部に前記水平部から上下に突出する突出部の各突出端に連結用凹部又は凸部を形成し、垂直部で各水平部との交差部近傍にそれぞれ水平器を配置し、該垂直部で両水平部間に取手を固定し、各水平部の中央部にねじ穴を形成し、スケ―ル本体と、水平部のそれぞれの前記長穴にスライド自在に係着されるドリルガイド駒と、壁面とスケ―ル本体と間に配置され前記ねじ穴に螺合する調整ねじと、からなるものである。
【発明の効果】
【０００８】
本発明のステップ取付穴冶具によれば、複数のステップのステップ取付穴が同時に位置決めされ得るのでステップを取り付けるために穴の穿設作業が簡単，容易にでき、その際，スケ―ル本体は調整ねじにより壁面に確実に位置し支持され、且つステップの脚径に応じてドリルガイド駒が選定され、このドリルガイド駒が所望のステップの脚巾に合わせてスケ―ル本体に設けられることで、ステップの脚径及びステップの脚巾に対応した、ステップを取り付けるために穴の穿設作業が確実にできるステップ取付穴冶具となる。
【発明を実施するための最良の形態】
【０００９】
上下の水平部とこれら水平部の中央部を縦方向に接続する垂直部とでスケ―ル本体を形成し、該スケ―ル本体の前記各水平部のそれぞれの両端近傍にドリル通過用長穴を穿設し、前記垂直部に前記水平部から上下に突出する突出部の各突出端に連結用凹部又は凸部を形成し、垂直部で各水平部との交差部近傍にそれぞれ水平器を配置し、該垂直部で両水平部間に取手を固定し、各水平部の中央部にねじ穴を形成し、スケ―ル本体と、水平部のそれぞれの前記長穴にスライド自在に係着されるドリルガイド駒と、壁面とスケ―ル本体と間に配置され前記ねじ穴に螺合する調整ねじと、からなるステップ取付穴冶具である。
【実施例１】
【００１０】
図１ないし図４は本発明の実施例に関するものであり、図１は本発明に係るステップ取付穴冶具をマンホ―ル壁面に取り付ける際の分解構成図、図２はステップ取付穴冶具をマンホ―ル壁面に取り付けた平面図、図３はステップ取付穴冶具の正面図、図４はステップ取付穴冶具の使用例の説明図である。
【００１１】
図において、１はステップ取付穴冶具のスケ―ル本体であり、該スケ―ル本体１は、上部水平部２と下部水平部３と両水平部２，３の中央部を縦方向に接続する垂直部４とからなっている。
【００１２】
前記上部水平部２及び下部水平部３のそれぞれの両端近傍には、後述するドリルガイド駒が配置される部位に対応したドリル通過用長穴５，５が形成されている。そして、上部水平部２における両長穴５，５間及び下部水平部３における両長穴５，５間の間隔は使用するステップの脚巾に対応できるように各長穴の中心点間で例えば３００ｍｍ程度とし、形成される各長穴の長さは例えば１００ｍｍ程度にする。
【００１３】
また、前記垂直部４には、その上部突出部６の突出端に連結用の凹部７が形成され、その下部突出部８の突出端に連結用の凸部９が形成されている。そして、上部突出部６の突出端と上部水平部２の中心線との長さ及び下部突出部８の突出端と下部水平部３の中心線との長さは、それぞれ、上部水平部２のドリル通過用長穴５と下部水平部３のドリル通過用長穴５の間隔（例えば３００ｍｍ）の半分（例えば１５０ｍｍ）とする。
なお、上部側の凹部７に代えた凸部を形成すると共に下部側の凸部を凹部としてもよい。
【００１４】
また、前記垂直部４で各水平部２，３との交差部近傍には、水平器１０が配置されていて前記上部水平部２及び下部水平部３がそれぞれ正確に水平に維持されているかを確認できるようになっている。
【００１５】
また、前記垂直部４内で両水平部２，３間には前記スケ―ル本体１を移動或は設置するための取手１１が固定されている。
【００１６】
更に、前記水平部２，３のそれぞれの中央部には後述する調整ねじと螺合するねじ穴１２，１２が形成されている。
【００１７】
また、前記垂直部４の各突出部６，８には、スケ―ル本体１をマンホ―ル壁１３に安定して取り付けるための固定ねじ棒を挿入するねじ挿入穴１４，１４が形成されている。
【００１８】
１５はドリルガイド駒であり、該ドリルガイド駒１５は、前記スケ―ル本体１に穿設された各ドリル通過用長穴５にそれぞれ適合されてマンホ―ル壁１３に穴あけ時にドリルを安定して正確にガイドするためのものであって、取り付けるべきステップの脚径に見合ったドリルの径に対応した複数のサイズの穴径のものを用意しておくことが望ましい。そして、このドリルガイド駒１５は、スケ―ル本体１の各水平部２，３に対してそれぞれスライド可能に装着されるのである。
【００１９】
１６はマンホ―ル壁１３とスケ―ル本体１との間に配置される調整ねじであり、スケ―ル本体１に穿設した前記ねじ穴１２に螺合してマンホ―ル壁１３に対してスケ―ル本体１を確実に設置するためのものである。そして該調整ねじ１６を回動してねじの長さを調整することによって、スケ―ル本体１をマンホ―ル壁１３から正確な位置に配設するようにしている。
【００２０】
以上のような構成からなるステップ取付穴冶具において、先ず，取り付けるべきステップの脚径に見合ったドリルガイド駒１５をスケ―ル本体１の各ドリル通過用長穴５に適合してステップ１７の脚巾に見合った部位にそれぞれ装着する。
【００２１】
そして、例えばマンホ―ル壁１３に多段のステップ１７を取り付ける穴を穿設するには、マンホ―ル壁１３面の上位の最初のステップ取付位置に、スケ―ル本体１の上部水平部２にあるドリルガイド駒１５を位置させて最上段のスケ―ル本体１を設置する。次いで最上段のスケ―ル本体１の下部突出部８の連結用の凸部９に次段のスケ―ル本体１の上部突出部６の連結用の凹部７を当接させた状態で該次段のスケ―ル本体１を設置する（図４参照）。
【００２２】
このようにして上下２段のスケ―ル本体１，１が設置された状態で、各ドリルガイド駒１５を介してドリルでマンホ―ル壁１３面にステップ取付穴１９，１９を順次穿設する。
【００２３】
上下２段のスケ―ル本体１，１を用いたステップ取付穴１９の穿設が終了したならば、前記最上段のスケ―ル本体１を除去してこのスケ―ル本体１を前記次段のスケ―ル本体１の下位に移動位置させ凸部９に凹部７を当接させた状態とする。そしてこの状態で移動されたスケ―ル本体１のドリルガイド駒１５を介してドリルでマンホ―ル壁１３面にステップ取付穴１９，１９を穿設する。
【００２４】
このような手順によりマンホ―ル壁１３面にはドリルでステップ取付穴１９，１９が一定の上下間隔で順次穿設されるが、このスケ―ル本体１は２個に限らず３個或は４個というように多数のものを同時に使用してもよい。
【図面の簡単な説明】
【００２５】
【図１】図１は本発明に係るステップ取付穴冶具をマンホ―ル壁面に取り付ける際の分解構成図である。
【図２】図２はステップ取付穴冶具をマンホ―ル壁面に取り付けた平面図である。
【図３】図３はステップ取付穴冶具の正面図である。
【図４】図４はステップ取付穴冶具の使用例の説明図である。
【符号の説明】
【００２６】
１              スケ―ル本体
２              上部水平部
３              下部水平部
４              垂直部
５              ドリル通過用長穴
６              上部突出部
７              連結用凹部
８              下部突出部
９              連結用凸部
１０            水平器
１１            取手
１２            調整ねじ用のねじ穴
１３            壁
１５            ドリルガイド駒
１６            調整ねじ
１７            ステップ
【図１】
0004535333.tif 000002
【図２】
0004535333.tif 000003
【図３】
0004535333.tif 000004
【図４】
0004535333.tif 000005